(57)【要約】  エリアアクティブ駆動処理部の計算量を削減した表示装置を実現できる。エリアアクティブ駆動処理部は、各駆動エリアの発光強度を、入力される画像データに基づいて、表示パネルにおける画像を更新する周期である１フレーム期間毎に、異なる一つの演算グループに属する駆動エリアついて算出する発光強度算出部を備えている。
2020049949.tif 000002
【特許請求の範囲】
【請求項１】
エリアアクティブ駆動回路と、
複数の駆動エリアに分割され、上記エリアアクティブ駆動回路によって、該複数の駆動エリアがエリアアクティブ駆動されるバックライトと、
表示パネルと、を備えた表示装置であって、
上記複数の駆動エリアは、複数の演算グループのいずれかに属し、
上記エリアアクティブ駆動回路は、上記各駆動エリアの発光強度を、入力される画像データに基づいて、上記表示パネルにおける画像を更新する周期である１フレーム期間毎に、異なる一つの上記演算グループに属する上記駆動エリアについて算出する発光強度算出回路を備えていることを特徴とする表示装置。
【請求項２】
上記バックライトは、複数のローテーションエリアに分割されており、
上記複数のローテーションエリアのうちの少なくとも一つは、２以上の上記駆動エリアを含み、該２以上の上記駆動エリアは２以上の異なる上記演算グループに属することを特徴とする請求項１に記載の表示装置。
【請求項３】
上記複数のローテーションエリアのうち、形状が同一な該ローテーションエリアのそれぞれは、上記複数の演算グループのそれぞれに属する上記駆動エリアを同じ個数ずつ含むことを特徴とする請求項２に記載の表示装置。
【請求項４】
上記複数のローテーションエリアのうち、形状が同一な該ローテーションエリアのそれぞれは、上記複数の演算グループのそれぞれに属する上記駆動エリアを１個ずつ含むことを特徴とする請求項２または請求項３に記載の表示装置。
【請求項５】
上記発光強度算出回路が、上記複数のローテーションエリアのうち、形状が同一な該ローテーションエリアにおいて、上記各演算グループに属する駆動エリアの発光強度を算出する順序が同じであることを特徴とする請求項２から４の何れか１項に記載の表示装置。
【請求項６】
上記発光強度算出回路が、上記複数のローテーションエリアのうち、形状が同一な該ローテーションエリアにおいて、上記各演算グループに属する駆動エリアの発光強度を算出する順序が、少なくとも一つの該ローテーションエリアについて異なることを特徴とする請求項２から５の何れか１項に記載の表示装置。
【請求項７】
上記複数のローテーションエリアの形状は同一であることを特徴とする請求項２から６の何れか１項に記載の表示装置。
【請求項８】
上記複数のローテーションエリア中には、形状が異なるローテーションエリアが含まれることを特徴とする請求項２から６の何れか１項に記載の表示装置。
【請求項９】
上記複数の演算グループの数はｍ個（ｍは２以上の自然数）であり、
ｍフレーム期間を１シーケンスとし、
上記発光強度算出回路が、あるシーケンスと別のシーケンスとで、上記各演算グループに属する駆動エリアの発光強度を算出する順序が同じであることを特徴とする請求項１から８の何れか１項に記載の表示装置。
【請求項１０】
上記複数の演算グループの数はｍ個（ｍは２以上の自然数）であり、
ｍフレーム期間を１シーケンスとし、
上記発光強度算出回路が、あるシーケンスと別のシーケンスとで、上記各演算グループに属する駆動エリアの発光強度を算出する順序が異なることを特徴とする請求項１から８の何れか１項に記載の表示装置。
【請求項１１】
上記バックライトは、複数の演算単位に分割されており、
上記各演算単位は上記演算グループを２以上含み、
上記エリアアクティブ駆動回路は、上記演算単位ごとに上記発光強度算出回路を備えていることを特徴とする請求項１から１０の何れか１項に記載の表示装置。
【請求項１２】
エリアアクティブ駆動回路と、
複数の駆動エリアに分割され、上記エリアアクティブ駆動回路によって、該複数の駆動エリアがエリアアクティブ駆動されるバックライトと、
上記各駆動エリアの発光強度を、入力される画像データに基づいて算出する発光強度算出回路と、
表示パネルと、を備えた表示装置であって、
上記発光強度算出回路は、上記表示パネルにおける画像を更新する周期を１フレーム期間として、複数のフレーム期間に分割して上記複数の駆動エリア全ての発光強度の算出を行うことを特徴とする表示装置。
【請求項１３】
上記発光強度算出回路が、上記１フレーム期間に発光強度を算出する複数の上記駆動エリアは、分散して配置されていることを特徴とする請求項１２に記載の表示装置。
【請求項１４】
上記発光強度算出回路が、上記１フレーム期間に発光強度を算出した複数の上記駆動エリアは、互いに隣接しないことを特徴とする請求項１２または請求項１３に記載の表示装置。
【請求項１５】
上記複数の駆動エリアのそれぞれは、１以上の発光素子を含むことを特徴とする請求項１から１４の何れか１項に記載の表示装置。
【発明の詳細な説明】
【技術分野】
【０００１】
本開示は、表示パネルと、バックライトとを備えた表示装置に関するものである。本願は、２０１８年９月３日に、日本に出願された特願２０１８−１６４６９１に優先権を主張し、その内容をここに援用する。
【背景技術】
【０００２】
ＬＥＤ（発光ダイオード）等の発光素子を用いたエリアアクティブなバックライト制御技術によって、ローカルエリアでのバックライト制御が可能になっている。このようなバックライト制御を行う表示装置において、表示パネルの画素への入力画像に対応するバックライト輝度を計算し、画素の輝度をバックライト輝度で割ることによって、画素本来の輝度を確保するローカルディミング処理（エリアアクティブ処理とも呼ばれる）が提案されている。このような技術の一例が特許文献１に開示されている。
【先行技術文献】
【特許文献】
【０００３】
【特許文献１】特開２００９−１９２９６３号公報（２００９年８月２７日公開）
【発明の概要】
【発明が解決しようとする課題】
【０００４】
上述したローカルディミング処理においては、１個ないしは複数個の発光素子を１つのエリアとして、バックライト輝度の計算を行っている。近年、表示パネルにおける画素数の増大や、よりきめ細かなバックライト制御を行いたい等の要請から、上記エリアの数を増加させる事が求められている。これにより、ローカルディミング処理の計算量の増加が問題となる。【０００５】
本開示の一態様は、上記の問題点に鑑みてなされたものであり、ローカルディミング処理回路（エリアアクティブ駆動回路）の計算量を削減した表示装置を提供することを目的とする。
【課題を解決するための手段】
【０００６】
本開示の一態様の表示装置は、上記の課題を解決するために、
エリアアクティブ駆動回路と、
複数の駆動エリアに分割され、上記エリアアクティブ駆動回路によって、該複数の駆動エリアがエリアアクティブ駆動されるバックライトと、
表示パネルと、を備えた表示装置であって、
上記複数の駆動エリアは、複数の演算グループのいずれかに属し、
上記エリアアクティブ駆動回路は、上記各駆動エリアの発光強度を、入力される画像データに基づいて、上記表示パネルにおける画像を更新する周期である１フレーム期間毎に、異なる一つの上記演算グループに属する上記駆動エリアについて算出する発光強度算出回路を備えていることを特徴としている。【０００７】
本開示の一態様の表示装置は、上記の課題を解決するために、
エリアアクティブ駆動回路と、
複数の駆動エリアに分割され、上記エリアアクティブ駆動回路によって、該複数の駆動エリアがエリアアクティブ駆動されるバックライトと、
上記各駆動エリアの発光強度を、入力される画像データに基づいて算出する発光強度算出回路と、
表示パネルと、を備えた表示装置であって、
上記発光強度算出回路は、上記表示パネルにおける画像を更新する周期を１フレーム期間として、複数のフレーム期間に分割して上記複数の駆動エリア全ての発光強度の算出を行うことを特徴としている。
【発明の効果】
【０００８】
ローカルディミング処理回路（エリアアクティブ駆動回路）の計算量を削減した表示装置を実現できる。
【図面の簡単な説明】
【０００９】
【図１】実施の形態１の表示装置に備えられたバックライトの概略構成を示す図である。
【図２】（ａ）及び（ｂ）は、実施の形態１の表示装置のエリアアクティブ駆動処理部に備えられた発光強度算出部において、１フレーム期間毎に、異なる一つの演算グループの各駆動エリアの発光強度を算出する一例を示す図である。
【図３】実施の形態１の表示装置の概略構成を示す図である。
【図４】実施の形態１の表示装置のエリアアクティブ駆動処理部に備えられた発光強度算出部において、１フレーム期間毎に、異なる一つの演算グループの各駆動エリアの発光強度を算出する他の一例を示す図である。
【図５】（ａ）は、実施の形態２の表示装置に備えられたバックライトの概略構成を示す図であり、（ｂ）は、実施の形態２の表示装置のエリアアクティブ駆動処理部に備えられた発光強度算出部において、１フレーム期間毎に、異なる一つの演算グループの駆動エリアの発光強度を算出する一例を示す図である。
【図６】（ａ）は、実施の形態２の表示装置に備えられた他のバックライトの概略構成を示す図であり、（ｂ）は、実施の形態２の表示装置のエリアアクティブ駆動処理部に備えられた発光強度算出部において、１フレーム期間毎に、異なる一つの演算グループの駆動エリアの発光強度を算出する一例を示す図である。
【図７】（ａ）は、実施の形態２の表示装置に備えられたさらに他のバックライトの概略構成を示す図であり、（ｂ）は、実施の形態２の表示装置のエリアアクティブ駆動処理部に備えられた発光強度算出部において、１フレーム期間毎に、異なる一つの演算グループの駆動エリアの発光強度を算出する一例を示す図である。
【図８】図７に図示した実施の形態２の表示装置のエリアアクティブ駆動処理部に備えられた発光強度算出部において、１フレーム期間毎に、異なる一つの演算グループが選択される順序の一例を示す図である。
【図９】実施の形態３の表示装置に備えられたバックライトの概略構成を示す図である。
【図１０】実施の形態４の表示装置に備えられたバックライトの概略構成を示す図である。
【図１１】実施の形態４の表示装置に備えられた他のバックライトの概略構成を示す図である。
【図１２】実施の形態５の表示装置に備えられたバックライトの概略構成を示す図である。
【図１３】実施の形態５の表示装置の概略構成を示す図である。
【発明を実施するための形態】
【００１０】
本開示の実施の形態について図１から図１３に基づいて説明すれば、次の通りである。以下、説明の便宜上、特定の実施形態にて説明した構成と同一の機能を有する構成については、同一の符号を付記し、その説明を省略する場合がある。
【００１１】
〔実施形態１〕
以下、図１〜図４に基づき、実施の形態１の表示装置１０について説明する。
【００１２】
図１は、図３に図示する表示装置１０に備えられたバックライト１２の概略構成を示す図である。
【００１３】
本実施形態においては、図１に図示するように、バックライト１２に、２４×１２個の発光素子２１が備えられている場合を一例に挙げて説明するが、これに限定されることはなく、バックライト１２に備えられる発光素子２１の数は、適宜決定することができるのは言うまでもない。他の実施形態においても同様である。
【００１４】
バックライト１２は、複数の駆動エリアＤＡ（本実施形態においては、７２個の駆動エリアＤＡ）に分割されており、この駆動エリアＤＡ毎にエリアアクティブ駆動される。駆動エリアＤＡ毎に駆動されるため、この一つの駆動エリアＤＡを光源とも言う。
【００１５】
本実施形態においては、それぞれの駆動エリアＤＡが、互いに隣接する２×２個の発光素子２１を備えている場合を一例に挙げて説明するが、これに限定されることはなく、例えば、それぞれの駆動エリアＤＡは、１個の発光素子のみを備えていてもよく、複数個の発光素子を備えていてもよい。なお、本実施形態においては、それぞれの駆動エリアＤＡに備えられる発光素子２１の数は同じであるとする。また、同じ駆動エリアＤＡに含まれる複数の発光素子２１は同じ発光強度で発光されるものとする。この場合、駆動エリアＤＡが発する光のプロファイルであるＰＳＦ（点広がり関数）は、全ての駆動エリアＤＡで同じになる。
【００１６】
なお、発光素子２１は、白色を発光する発光素子であればよく、例えば、複数の異なる色を発光する複数の発光素子がパッケージ化され白色を発光するものであってもよい。
【００１７】
図１に図示するように、左上部分の１８個の駆動エリアＤＡは演算グループＡ（ＣＧＡ）に属し、右上部分の１８個の駆動エリアＤＡは演算グループＢ（ＣＧＢ）に属し、左下部分の１８個の駆動エリアＤＡは演算グループＣ（ＣＧＣ）に属し、右下部分の１８個の駆動エリアＤＡは演算グループＤ（ＣＧＤ）に属する。なお、演算グループＡ（ＣＧＡ）〜演算グループＤ（ＣＧＤ）のそれぞれは、ある１フレーム期間に同時に発光強度が算出される駆動エリアＤＡが属するグループである。
【００１８】
図３は、実施の形態１の表示装置１０の概略構成を示す図である。
【００１９】
表示装置１０は、エリアアクティブ駆動処理部（エリアアクティブ駆動回路）１と、バックライト駆動回路１１と、バックライト１２と、パネル駆動回路１３と、表示パネル１４とを含む。エリアアクティブ駆動処理部１は、発光強度算出部（発光強度算出回路）２と、発光強度保持部７と、輝度分布算出部（輝度分布算出回路）３と、画像データ補正部（画像データ補正回路）９とを含む。
【００２０】
発光強度算出部２は、各駆動エリアＤＡの発光強度を、入力される画像データに基づいて、表示パネル１４における画像を更新する周期である１フレーム期間毎に、異なる一つの演算グループＡ（ＣＧＡ）〜演算グループＤ（ＣＧＤ）について算出する。すなわち、発光強度算出部２は、表示パネル１４における画像を更新する周期を１フレーム期間として、複数のフレーム期間に分割して複数の駆動エリアＤＡ全ての発光強度の算出を行う。
【００２１】
発光強度保持部７は、過去に算出された各駆動エリアＤＡの発光強度のデータを保持している。発光強度保持部７は、例えば、発光強度算出部２が新たに算出した演算グループＡ（ＣＧＡ）に属する左上部分の１８個の駆動エリアＤＡの発光強度のデータと、保持していた演算グループＢ（ＣＧＢ）に属する右上部分の１８個の駆動エリアＤＡの発光強度のデータ、演算グループＣ（ＣＧＣ）に属する左下部分の１８個の駆動エリアＤＡの発光強度のデータ及び演算グループＤ（ＣＧＤ）に属する右下部分の１８個の駆動エリアＤＡの発光強度のデータとをバックライト駆動回路１１及び輝度分布算出部３に出力する。バックライト駆動回路１１は、駆動エリアＤＡの発光強度のデータに基づいて、駆動エリアＤＡ毎にバックライト１２を駆動する。
【００２２】
輝度分布算出部３は、表示パネル１４の画素毎の、駆動エリアＤＡから当該画素に到達する光の総和（バックライト強度）を算出する。なお、この算出の際に、駆動エリアＤＡが発する光のプロファイルであるＰＳＦ（点広がり関数）を用いる。輝度分布算出部３は、算出したバックライト強度を、画像データ補正部９に出力する。
【００２３】
画像データ補正部９は、入力された画像データ及び上記バックライト強度に基づいて、上記入力された画像データの各画素の階調値を補正し、補正された階調値をパネル駆動回路１３に出力する。パネル駆動回路１３は、上記補正された階調値に基づいて、表示パネル１４を駆動する。表示パネル１４は、例えば液晶パネルである。
【００２４】
図２の（ａ）及び図２の（ｂ）は、図３に図示する表示装置１０のエリアアクティブ駆動処理部１に備えられた発光強度算出部２において、１フレーム期間毎に、異なる一つの演算グループの各駆動エリアの発光強度を算出する一例を示す図である。
【００２５】
図２の（ａ）に図示するように、演算グループＡ（ＣＧＡ）に属する左上部分の１８個の駆動エリアＤＡは、第１フレーム期間に同時に発光強度が算出され、演算グループＢ（ＣＧＢ）に属する右上部分の１８個の駆動エリアＤＡは、第２フレーム期間に同時に発光強度が算出され、演算グループＣ（ＣＧＣ）に属する左下部分の１８個の駆動エリアＤＡは、第３フレーム期間に同時に発光強度が算出され、演算グループＤ（ＣＧＤ）に属する右下部分の１８個の駆動エリアＤＡは、第４フレーム期間に同時に発光強度が算出される。第１フレーム期間から第４フレーム期間までが１シーケンスであり、このシーケンスが繰り返される。
【００２６】
なお、演算グループＡ（ＣＧＡ）〜演算グループＤ（ＣＧＤ）のそれぞれは、１フレーム期間に、図３に図示する表示装置１０に備えられた１つの発光強度算出部２が算出する駆動エリアＤＡのグループであり、時分割数分のグループがある。本実施の形態においては、４時分割をしている場合を一例に挙げているので、４つの演算グループＡ（ＣＧＡ）〜演算グループＤ（ＣＧＤ）があるが、これに限定されることはなく、演算グループの数は２つ以上であればよい。
【００２７】
図２の（ｂ）は、表示装置１０への入力フレームと、発光強度算出部２における発光強度の算出と、発光強度保持部７における発光強度データの保持と出力との関係を示したものである。
【００２８】
例えば、入力画像のフレームがｎ＋１フレーム目の期間を考える。発光強度算出部２はｎフレーム目の入力画像を用いて、演算グループＡ（ＣＧＡ）に属する駆動エリアＤＡの発光強度を算出する。発光強度保持部７は、演算グループＡ（ＣＧＡ）に属する駆動エリアＤＡに関しては、ｎフレーム目の入力画像を用いて新たに算出された発光強度データを出力する。また、発光強度保持部７は、演算グループＢ（ＣＧＢ）に属する駆動エリアＤＡに関しては、過去にｎ−３フレーム目の入力画像を用いて算出され保持されていた発光強度データを出力する。また、発光強度保持部７は、演算グループＣ（ＣＧＣ）に属する駆動エリアＤＡに関しては、過去にｎ−２フレーム目の入力画像を用いて算出され保持されていた発光強度データを出力する。また、発光強度保持部７は、演算グループＤ（ＣＧＤ）に属する駆動エリアＤＡに関しては、過去にｎ−１フレーム目の入力画像を用いて算出され保持されていた発光強度データを出力する。
【００２９】
図２（ｂ）においては、発光強度保持部７がｎ＋１フレーム目の期間で新たに算出された発光強度を出力する演算グループは実線で、発光強度保持部７が過去に算出され保持されていた発光強度を出力する演算グループは破線で示している。その他のフレーム期間においても同様である。また、入力画像のフレームがｎ＋１フレーム目の期間は、ｎ＋１フレーム目の入力画像を入力している途中であるため、発光強度算出部２はひとつ前のｎフレーム目の入力画像を用いて発光強度を算出している。その他のフレーム期間でも同様である。さらにこれらは、下記の図４および図８においても同様である。
【００３０】
また、図２（ｂ）に図示しているように、例えば、ｍシーケンスにおいては、発光強度算出部２は、ｎフレームの入力画像データに基づいて、演算グループＡ（ＣＧＡ）に属する左上部分の１８個の駆動エリアＤＡの発光強度を算出し、ｎ＋１フレームの入力画像データに基づいて、演算グループＢ（ＣＧＢ）に属する右上部分の１８個の駆動エリアＤＡの発光強度を算出し、ｎ＋２フレームの入力画像データに基づいて、演算グループＣ（ＣＧＣ）に属する左下部分の１８個の駆動エリアＤＡの発光強度を算出し、ｎ＋３フレームの入力画像データに基づいて、演算グループＤ（ＣＧＤ）に属する右下部分の１８個の駆動エリアＤＡの発光強度を算出する。すなわち、発光強度算出部２は、１フレーム期間毎に順に、４つの演算グループＡ（ＣＧＡ）〜演算グループＤ（ＣＧＤ）中の一つに属する駆動エリアＤＡの発光強度を算出し、４フレーム期間毎に、複数の駆動エリアＤＡ全ての発光強度の算出を行うようになっている。言い換えれば、発光強度算出部２は、１フレーム期間毎に、異なる１つの演算グループに属する駆動エリアＤＡの発光強度を算出する。
【００３１】
また、図２（ｂ）においては、発光強度算出部２は、ｍシーケンスにおいても、ｍ＋１シーケンスにおいても、各演算グループに属する駆動エリアＤＡの発光強度を算出する順序が同じである。
【００３２】
図２の（ｂ）に図示しているように、ｍシーケンスの直後のシーケンスであるｍ＋１シーケンスにおいても、ｍシーケンスと同じ順序で、発光強度算出部２は、ｎ＋４フレームの入力画像データに基づいて、演算グループＡ（ＣＧＡ）に属する左上部分の１８個の駆動エリアＤＡの発光強度を算出し、ｎ＋５フレームの入力画像データに基づいて、演算グループＢ（ＣＧＢ）に属する右上部分の１８個の駆動エリアＤＡの発光強度を算出し、ｎ＋６フレームの入力画像データに基づいて、演算グループＣ（ＣＧＣ）に属する左下部分の１８個の駆動エリアＤＡの発光強度を算出し、ｎ＋７フレームの入力画像データに基づいて、演算グループＤ（ＣＧＤ）に属する右下部分の１８個の駆動エリアＤＡの発光強度を算出する。
【００３３】
なお、ｍ−１シーケンスは、ｍシーケンスの直前のシーケンスを意味し、ｍ＋１シーケンスは、ｍシーケンスの直後のシーケンスを意味する。また、ｎフレームは、ｎ＋１フレームの直前のフレームを意味し、ｎ＋２フレームは、ｎ＋１フレームの直後のフレームを意味する。
【００３４】
以上のように、表示装置１０のエリアアクティブ駆動処理部１は、各駆動エリアＤＡの発光強度の算出を４時分割で行うため、１フレーム期間毎の駆動エリアＤＡの発光強度の計算量を、時分割で駆動されない場合と比較し、１／４に削減できる。
【００３５】
〔実施形態１の変形例〕
図４は、表示装置１０のエリアアクティブ駆動処理部１に備えられた発光強度算出部２において、１フレーム期間毎に、異なる一つの演算グループの各駆動エリアの発光強度を算出する他の一例を示す図である。
【００３６】
図４に図示しているように、例えば、ｍシーケンスにおいては、発光強度算出部２は、ｎフレームの入力画像データに基づいて、演算グループＡ（ＣＧＡ）に属する左上部分の１８個の駆動エリアＤＡの発光強度を算出し、ｎ＋１フレームの入力画像データに基づいて、演算グループＢ（ＣＧＢ）に属する右上部分の１８個の駆動エリアＤＡの発光強度を算出し、ｎ＋２フレームの入力画像データに基づいて、演算グループＣ（ＣＧＣ）に属する左下部分の１８個の駆動エリアＤＡの発光強度を算出し、ｎ＋３フレームの入力画像データに基づいて、演算グループＤ（ＣＧＤ）に属する右下部分の１８個の駆動エリアＤＡの発光強度を算出する。
【００３７】
ｍシーケンスの直後のシーケンスであるｍ＋１シーケンスにおいては、ｍシーケンスとは逆の順序で、発光強度算出部２は、ｎ＋４フレームの入力画像データに基づいて、演算グループＤ（ＣＧＤ）に属する右下部分の１８個の駆動エリアＤＡの発光強度を算出し、ｎ＋５フレームの入力画像データに基づいて、演算グループＣ（ＣＧＣ）に属する左下部分の１８個の駆動エリアＤＡの発光強度を算出し、ｎ＋６フレームの入力画像データに基づいて、演算グループＢ（ＣＧＢ）に属する右上部分の１８個の駆動エリアＤＡの発光強度を算出し、ｎ＋７フレームの入力画像データに基づいて、演算グループＡ（ＣＧＡ）に属する左上部分の１８個の駆動エリアＤＡの発光強度を算出してもよい。
【００３８】
すなわち、ｍシーケンスにおいても、ｍ＋１シーケンスにおいても、発光強度算出部２は、１フレーム期間毎に、異なる１つの演算グループに属する駆動エリアＤＡの発光強度を算出する。
【００３９】
また、図４においては、発光強度算出部２は、ｍシーケンスとｍ＋１シーケンスで、各演算グループに属する駆動エリアＤＡの発光強度を算出する順序が異なる。このように、シーケンスごとに発光強度を算出する順序を変えても良い。
【００４０】
例えば、上記の実施の形態１に関して、図２（ｂ）によれば、入力画像のフレームがｎ＋１フレーム目の期間においては、演算グループＢ〜Ｄ（ＣＧＢ〜ＣＧＤ）に属する駆動エリアＤＡの発光強度は過去に算出されたデータであり、現在の入力画像の内容とは完全には合わない。このため、これに起因するアーティファクトが表示に現れることがある。そして、上記の実施の形態１においては、シーケンスごとに同じ順序で発光強度を算出しているため、アーティファクトも同じ順序で発生する可能性がある。
【００４１】
これに対し、本実施の形態１の変形例では上記のとおり、シーケンスごとに発光強度を算出する順序を変えているため、アーティファクトが発生する順序も変わり、ランダムに発生する。これにより、アーティファクトを目立たなくすることができる。また、この場合においては、表示装置１０のエリアアクティブ駆動処理部１は、各駆動エリアＤＡの発光強度の算出を４時分割で行うため、１フレーム期間毎の駆動エリアＤＡの発光強度の計算量を、時分割で駆動されない場合と比較し、１／４に削減できる。
【００４２】
〔実施形態２〕
次に、図５から図８に基づいて、本開示の実施形態２について説明する。本実施の形態の表示装置に備えられたバックライト２２・２３・２４においては、同一の演算グループに属する駆動エリアＤＡが分散して配置されている点において、実施形態１とは異なる。その他の構成については実施形態１において説明したとおりである。説明の便宜上、上記の実施形態１の図面に示した部材と同じ機能を有する部材については、同じ符号を付し、その説明を省略する。
【００４３】
図５の（ａ）は、実施の形態２の表示装置に備えられたバックライト２２の概略構成を示す図であり、図５の（ｂ）は、実施の形態２の表示装置のエリアアクティブ駆動処理部に備えられた発光強度算出部において、１フレーム期間毎に、異なる一つの演算グループの駆動エリアの発光強度を算出する一例を示す図である。なお、実施の形態２の表示装置の構成は、バックライト２２を備えている点と、エリアアクティブ駆動処理部１がバックライト２２に合わせて駆動される点以外は、図３に図示した実施の形態１の表示装置の構成と同様であるので図示を省略する。
【００４４】
図５の（ａ）に図示するように、バックライト２２は、２４×１２個の発光素子２１を備えている。バックライト２２は、複数の駆動エリアＤＡ（本実施形態においては、７２個の駆動エリアＤＡ）に分割されており、この駆動エリアＤＡ毎にエリアアクティブ駆動される。ただし、上記の発光素子２１や駆動エリアＤＡの数は一例であり、これらに限定されることはない。他の実施形態においても同様である。
【００４５】
さらに、１８個の駆動エリアＤＡは演算グループＡ（ＣＧＡ）に属し、１８個の駆動エリアＤＡは演算グループＢ（ＣＧＢ）に属し、１８個の駆動エリアＤＡは演算グループＣ（ＣＧＣ）に属し、１８個の駆動エリアＤＡは演算グループＤ（ＣＧＤ）に属する。すなわち、バックライト２２に関しては、４個の演算グループがある。ただし、実施の形態１とは異なり、各演算グループに属する駆動エリアＤＡは分散した位置にある。これを示すため、図５（ａ）においては、駆動エリアＤＡごとに当該駆動エリアＤＡが属する演算グループ名を記載している。なお、演算グループＡ（ＣＧＡ）〜演算グループＤ（ＣＧＤ）のそれぞれは、１フレーム期間に同時に発光強度が算出される駆動エリアＤＡが属するグループである。
【００４６】
そして、バックライト２２は、１８個のローテーションエリアＲＯＡ１〜ＲＯＡ１８に分割されている。各ローテーションエリアは、演算グループＡ（ＣＧＡ）に属する１個の駆動エリアＤＡと、演算グループＢ（ＣＧＢ）に属する１個の駆動エリアＤＡと、演算グループＣ（ＣＧＣ）に属する１個の駆動エリアＤＡと、演算グループＤ（ＣＧＤ）に属する１個の駆動エリアＤＡとを含む。すなわち、各ローテーションエリアには、各演算グループから同じ個数（この場合は１個）ずつの駆動エリアＤＡが含まれる。
【００４７】
このように、バックライト２２においては、ある駆動エリアＤＡは、いずれかの演算グループに属するとともに、いずれかのローテーションエリアにも含まれる。
【００４８】
複数のローテーションエリアのうちの少なくとも一つは、２個以上の駆動エリアＤＡを含めば良い。またこの２個以上の駆動エリアＤＡは、２以上の異なる上記演算グループに属すればよい。バックライト２２においては、全てのローテーションエリアが４個の駆動エリアＤＡを含む。またこの４個の駆動エリアＤＡは、ＣＧＡ〜ＣＧＤの４つの異なる演算グループに属する。このような構成により、バックライト２２においては、ある演算グループに属する駆動エリアＤＡは、分散して配置される。さらに、バックライト２２においては、ある演算グループに属する駆動エリアＤＡは互いに隣接しない。
【００４９】
一方、あるローテーションエリアに含まれる駆動エリアＤＡは、互いに隣接している。すなわち、各ローテーションエリアは連続した一つの領域である。
【００５０】
バックライト２２においては、複数のローテーションエリアＲＯＡ１〜ＲＯＡ１８のそれぞれは、少なくとも一つの同一演算グループを含む一つ以上の演算グループを含む。バックライト２２の場合は、複数のローテーションエリアＲＯＡ１〜ＲＯＡ１８のそれぞれは、４つの同一演算グループ（演算グループＡ（ＣＧＡ）〜演算グループＤ（ＣＧＤ））を含む４つの演算グループ（演算グループＡ（ＣＧＡ）〜演算グループＤ（ＣＧＤ））を含む。
【００５１】
バックライト２２においては、複数のローテーションエリアＲＯＡ１〜ＲＯＡ１８の形状は同一であり、複数のローテーションエリアＲＯＡ１〜ＲＯＡ１８のそれぞれは、４つの演算グループ（演算グループＡ（ＣＧＡ）〜演算グループＤ（ＣＧＤ））にそれぞれ属する駆動エリアＤＡを１個ずつ含む。
【００５２】
図５の（ｂ）に図示するように、第１フレームにおいては、複数のローテーションエリアＲＯＡ１〜ＲＯＡ１８のそれぞれにおいて、演算グループＡ（ＣＧＡ）に属する駆動エリアＤＡの発光強度が算出され、第２フレームにおいては、複数のローテーションエリアＲＯＡ１〜ＲＯＡ１８のそれぞれにおいて、演算グループＢ（ＣＧＢ）に属する駆動エリアＤＡの発光強度が算出され、第３フレームにおいては、複数のローテーションエリアＲＯＡ１〜ＲＯＡ１８のそれぞれにおいて、演算グループＣ（ＣＧＣ）に属する駆動エリアＤＡの発光強度が算出され、第４フレームにおいては、複数のローテーションエリアＲＯＡ１〜ＲＯＡ１８のそれぞれにおいて、演算グループＤ（ＣＧＤ）に属する駆動エリアＤＡの発光強度が算出される。すなわち、発光強度算出部は、１フレーム期間毎に、異なる１つの演算グループに属する駆動エリアＤＡの発光強度を算出する。
【００５３】
上記のとおり、実施の形態１においてはアーティファクトが表示に現れるおそれがある。この時、実施の形態１においては図１に記載のように、それぞれの演算グループに属する駆動エリアＤＡは、画面を４分割した右上の領域等に固まっているため、アーティファクトも固まった位置に発生し、目立つおそれがある。
【００５４】
これに対してバックライト２２においては、同一の演算グループに属する駆動エリアＤＡが分散して配置されている。さらには、バックライト２２においては同一の演算グループに属する駆動エリアＤＡが互いに隣接しない。これにより、前記のようなアーティファクトが発生したとしても分散して発生するため、アーティファクトを目立たなくすることができる。また、この場合においては、エリアアクティブ駆動処理部は、各駆動エリアＤＡの発光強度の算出を４時分割で行うため、１フレーム期間毎の駆動エリアＤＡの発光強度の計算量を、時分割で駆動されない場合と比較し、１／４に削減できる。
【００５５】
〔実施形態２の変形例１〕
図６の（ａ）は、実施の形態２の表示装置に備えられた他のバックライト２３の概略構成を示す図であり、図６の（ｂ）は、実施の形態２の表示装置のエリアアクティブ駆動処理部に備えられた発光強度算出部において、１フレーム期間毎に、異なる一つの演算グループの駆動エリアの発光強度を算出する一例を示す図である。
【００５６】
図６の（ａ）に図示するように、バックライト２３は、２４×１２個の発光素子２１を備えている。バックライト２３は、複数の駆動エリアＤＡ（本変形例においては、７２個の駆動エリアＤＡ）に分割されており、この駆動エリアＤＡ毎にエリアアクティブ駆動される。
【００５７】
さらに、１８個の駆動エリアＤＡは演算グループＡ（ＣＧＡ）に属し、１８個の駆動エリアＤＡは演算グループＢ（ＣＧＢ）に属し、１８個の駆動エリアＤＡは演算グループＣ（ＣＧＣ）に属し、１８個の駆動エリアＤＡは演算グループＤ（ＣＧＤ）に属する。すなわち、バックライト２３に関しては、４個の演算グループがある。また、各演算グループに属する駆動エリアＤＡは２個を組として分散した位置にある。これを示すため、図６（ａ）においては、隣接する２個の駆動エリアＤＡごとに当該駆動エリアＤＡが属する演算グループ名を記載している。なお、演算グループＡ（ＣＧＡ）〜演算グループＤ（ＣＧＤ）のそれぞれは、１フレーム期間に同時に発光強度が算出される駆動エリアＤＡが属するグループである。
【００５８】
そして、バックライト２３は、９個のローテーションエリアＲＯＡ１〜ＲＯＡ９に分割されている。各ローテーションエリアには、演算グループＡ（ＣＧＡ）に属する２個の駆動エリアＤＡ、演算グループＢ（ＣＧＢ）に属する２個の駆動エリアＤＡ、演算グループＣ（ＣＧＣ）に属する２個の駆動エリアＤＡおよび演算グループＤ（ＣＧＤ）に属する２個の駆動エリアＤＡが含まれる。すなわち、各ローテーションエリアには、各演算グループから同じ個数（この場合は２個）ずつの駆動エリアＤＡが含まれる。また、各ローテーションエリア内で、各演算グループに属する２個の駆動エリアＤＡは、互いに隣接している。
【００５９】
このように、バックライト２３においては、ある駆動エリアＤＡは、いずれかの演算グループに属するとともに、いずれかのローテーションエリアにも含まれる。
【００６０】
複数のローテーションエリアのうちの少なくとも一つは、２個以上の駆動エリアＤＡを含めば良い。またこの２個以上の駆動エリアＤＡは、２以上の異なる上記演算グループに属すればよい。バックライト２３においては、全てのローテーションエリアが８個の駆動エリアＤＡを含む。またこの８個の駆動エリアＤＡは、ＣＧＡ〜ＣＧＤの４つの異なる演算グループに属する。このような構成により、バックライト２３においては、ある演算グループに属する駆動エリアＤＡは、分散して配置されている。さらに、バックライト２３においては、ある演算グループに属する駆動エリアＤＡは、２個を１組として各ローテーションエリアに属しており、各組は互いに隣接しない。
【００６１】
一方、あるローテーションエリアに含まれる駆動エリアＤＡは、互いに隣接している。すなわち、各ローテーションエリアは連続した一つの領域である。
【００６２】
図６の（ｂ）に図示するように、第１フレームにおいては、複数のローテーションエリアＲＯＡ１〜ＲＯＡ９のそれぞれにおいて、演算グループＡ（ＣＧＡ）に属する駆動エリアＤＡの発光強度が算出され、第２フレームにおいては、複数のローテーションエリアＲＯＡ１〜ＲＯＡ９のそれぞれにおいて、演算グループＢ（ＣＧＢ）に属する駆動エリアＤＡの発光強度が算出され、第３フレームにおいては、複数のローテーションエリアＲＯＡ１〜ＲＯＡ９のそれぞれにおいて、演算グループＣ（ＣＧＣ）に属する駆動エリアＤＡの発光強度が算出され、第４フレームにおいては、複数のローテーションエリアＲＯＡ１〜ＲＯＡ９のそれぞれにおいて、演算グループＤ（ＣＧＤ）に属する駆動エリアＤＡの発光強度が算出される。すなわち、発光強度算出部は、１フレーム期間毎に、異なる１つの演算グループに属する駆動エリアＤＡの発光強度を算出する。
【００６３】
以上のように、バックライト２３においては、同一の演算グループに属する駆動エリアＤＡが分散して配置されている。さらには、バックライト２３においては同一の演算グループに属する駆動エリアＤＡは、２個を１組として各ローテーションエリアに属しており、各組は互いに隣接しない。これにより、前記のようなアーティファクトが発生したとしても分散して発生するため、アーティファクトを目立たなくすることができる。また、この場合においては、エリアアクティブ駆動処理部は、各駆動エリアＤＡの発光強度の算出を４時分割で行うため、１フレーム期間毎の駆動エリアＤＡの発光強度の計算量を、時分割で駆動されない場合と比較し、１／４に削減できる。
【００６４】
〔実施形態２の変形例２〕
図７の（ａ）は、実施の形態２の表示装置に備えられたさらに他のバックライト２４の概略構成を示す図であり、図７の（ｂ）は、実施の形態２の表示装置のエリアアクティブ駆動処理部に備えられた発光強度算出部において、１フレーム期間毎に、異なる一つの演算グループの駆動エリアの発光強度を算出する一例を示す図である。
【００６５】
図７の（ａ）に図示するように、バックライト２４は、２４×１２個の発光素子２１を備えている。バックライト２４は、複数の駆動エリアＤＡ（本変形例においては、７２個の駆動エリアＤＡ）に分割されており、この駆動エリアＤＡ毎にエリアアクティブ駆動される。
【００６６】
さらに、９個の駆動エリアＤＡは演算グループＡ（ＣＧＡ）に属し、９個の駆動エリアＤＡは演算グループＢ（ＣＧＢ）に属し、９個の駆動エリアＤＡは演算グループＣ（ＣＧＣ）に属し、９個の駆動エリアＤＡは演算グループＤ（ＣＧＤ）に属し、９個の駆動エリアＤＡは演算グループＥ（ＣＧＥ）に属し、９個の駆動エリアＤＡは演算グループＦ（ＣＧＦ）に属し、９個の駆動エリアＤＡは演算グループＧ（ＣＧＧ）に属し、９個の駆動エリアＤＡは演算グループＨ（ＣＧＨ）に属する。すなわち、バックライト２４に関しては、８個の演算グループがある。また、各演算グループに属する駆動エリアＤＡは分散した位置にある。これを示すため、図７（ａ）においては、駆動エリアＤＡごとに当該駆動エリアＤＡが属する演算グループ名を記載している。なお、演算グループＡ（ＣＧＡ）〜演算グループＨ（ＣＧＨ）のそれぞれは、１フレーム期間に同時に発光強度が算出される駆動エリアＤＡが属するグループである。
【００６７】
そして、バックライト２４は、９個のローテーションエリアＲＯＡ１〜ＲＯＡ９に分割されている。各ローテーションエリアには、演算グループＡ（ＣＧＡ）に属する１個の駆動エリアＤＡ、演算グループＢ（ＣＧＢ）に属する１個の駆動エリアＤＡ、演算グループＣ（ＣＧＣ）に属する１個の駆動エリアＤＡ、演算グループＤ（ＣＧＤ）に属する１個の駆動エリアＤＡ、演算グループＥ（ＣＧＥ）に属する１個の駆動エリアＤＡ、演算グループＦ（ＣＧＦ）に属する１個の駆動エリアＤＡ、演算グループＧ（ＣＧＧ）に属する１個の駆動エリアＤＡ、および演算グループＨ（ＣＧＨ）に属する個の駆動エリアＤＡが含まれる。すなわち、各ローテーションエリアには、各演算グループから同じ個数（この場合は１個）ずつの駆動エリアＤＡが含まれる。
【００６８】
このように、バックライト２４においては、ある駆動エリアＤＡは、いずれかの演算グループに属するとともに、いずれかのローテーションエリアにも含まれる。
【００６９】
複数のローテーションエリアのうちの少なくとも一つは、２個以上の駆動エリアＤＡを含めば良い。またこの２個以上の駆動エリアＤＡは、２以上の異なる上記演算グループに属すればよい。バックライト２４においては、全てのローテーションエリアが８個の駆動エリアＤＡを含む。またこの８個の駆動エリアＤＡは、ＣＧＡ〜ＣＧＨの８つの異なる演算グループに属する。このような構成により、バックライト２４においては、ある演算グループに属する駆動エリアＤＡは、分散して配置されている。さらに、バックライト２４においては、ある演算グループに属する駆動エリアＤＡは、互いに隣接しない。
【００７０】
一方、あるローテーションエリアに含まれる駆動エリアＤＡは、互いに隣接している。すなわち、各ローテーションエリアは連続した一つの領域である。
【００７１】
図７の（ｂ）に図示するように、第１フレームにおいては、複数のローテーションエリアＲＯＡ１〜ＲＯＡ９のそれぞれにおいて、演算グループＡ（ＣＧＡ）に属する駆動エリアＤＡの発光強度が算出され、第２フレームにおいては、複数のローテーションエリアＲＯＡ１〜ＲＯＡ９のそれぞれにおいて、演算グループＢ（ＣＧＢ）に属する駆動エリアＤＡの発光強度が算出され、第３フレームにおいては、複数のローテーションエリアＲＯＡ１〜ＲＯＡ９のそれぞれにおいて、演算グループＣ（ＣＧＣ）に属する駆動エリアＤＡの発光強度が算出され、第４フレームにおいては、複数のローテーションエリアＲＯＡ１〜ＲＯＡ９のそれぞれにおいて、演算グループＤ（ＣＧＤ）に属する駆動エリアＤＡの発光強度が算出される。そして、第５フレームにおいては、複数のローテーションエリアＲＯＡ１〜ＲＯＡ９のそれぞれにおいて、演算グループＥ（ＣＧＥ）に属する駆動エリアＤＡの発光強度が算出され、第６フレームにおいては、複数のローテーションエリアＲＯＡ１〜ＲＯＡ９のそれぞれにおいて、演算グループＦ（ＣＧＦ）に属する駆動エリアＤＡの発光強度が算出され、第７フレームにおいては、複数のローテーションエリアＲＯＡ１〜ＲＯＡ９のそれぞれにおいて、演算グループＧ（ＣＧＧ）に属する駆動エリアＤＡの発光強度が算出され、第８フレームにおいては、複数のローテーションエリアＲＯＡ１〜ＲＯＡ９のそれぞれにおいて、演算グループＨ（ＣＧＨ）に属する駆動エリアＤＡの発光強度が算出される。すなわち、発光強度算出部は、１フレーム期間毎に、異なる１つの演算グループに属する駆動エリアＤＡの発光強度を算出する。
【００７２】
図８は、図７に図示した実施の形態２の変形例２の表示装置のエリアアクティブ駆動処理部に備えられた発光強度算出部において、１フレーム期間毎に、異なる一つの演算グループの各駆動エリアの発光強度を算出する順序の一例を示す図である。
【００７３】
図８に図示しているように、例えば、ｍシーケンスにおいては、発光強度算出部は、ｎフレームの入力画像データに基づいて、演算グループＡ（ＣＧＡ）に属する駆動エリアＤＡの発光強度を算出し、ｎ＋１フレームの入力画像データに基づいて、演算グループＢ（ＣＧＢ）に属する駆動エリアＤＡの発光強度を算出し、ｎ＋２フレームの入力画像データに基づいて、演算グループＣ（ＣＧＣ）に属する駆動エリアＤＡの発光強度を算出し、ｎ＋３フレームの入力画像データに基づいて、演算グループＤ（ＣＧＤ）に属する駆動エリアＤＡの発光強度を算出する。そして、ｎ＋４フレームの入力画像データに基づいて、演算グループＥ（ＣＧＥ）に属する駆動エリアＤＡの発光強度を算出し、ｎ＋５フレームの入力画像データに基づいて、演算グループＦ（ＣＧＦ）に属する駆動エリアＤＡの発光強度を算出し、ｎ＋６フレームの入力画像データに基づいて、演算グループＧ（ＣＧＧ）に属する駆動エリアＤＡの発光強度を算出し、ｎ＋７フレームの入力画像データに基づいて、演算グループＨ（ＣＧＨ）に属する駆動エリアＤＡの発光強度を算出する。
【００７４】
以上のように、バックライト２４においては、同一の演算グループに属する駆動エリアＤＡが分散して配置されている。さらには、バックライト２４においては同一の演算グループに属する駆動エリアＤＡが互いに隣接しない。これにより、前記のようなアーティファクトが発生したとしても分散して発生するため、アーティファクトを目立たなくすることができる。また、この場合においては、エリアアクティブ駆動処理部は、各駆動エリアＤＡの発光強度の算出を８時分割で行うため、１フレーム期間毎の駆動エリアＤＡの発光強度の計算量を、時分割で駆動されない場合と比較し、１／８に削減できる。
【００７５】
以上のように、本実施形態においては、バックライト２２・２３・２４においては、発光強度算出部が、複数のローテーションエリアのうち、形状が同一な該ローテーションエリアにおいて、各演算グループについて該演算グループに属する駆動エリアの発光強度を算出する順序が同一となるようにしたが、これに限定されることはなく、後述する実施形態３のように、その順序が異なるローテーションエリアを含んでもよい。
【００７６】
〔実施形態３〕
次に、図９に基づいて、本開示の実施形態３について説明する。本実施の形態の表示装置に備えられたバックライト２５においては、発光強度算出部が、複数のローテーションエリアのうち、形状が同一な該ローテーションエリアにおいて、各演算グループについて該演算グループに属する駆動エリアの発光強度を算出する順序が異なるローテーションエリアを含む点において、実施形態２とは異なる。その他の構成については実施形態１において説明したとおりである。説明の便宜上、上記の実施形態２の図面に示した部材と同じ機能を有する部材については、同じ符号を付し、その説明を省略する。
【００７７】
図９に図示するように、バックライト２５は、複数の駆動エリアＤＡ（本実施形態においては、７２個の駆動エリアＤＡ）に分割されており、この駆動エリアＤＡ毎にエリアアクティブ駆動される。なお、すべては図示されていないが、各駆動エリアＤＡは４個の発光素子２１を備える。
【００７８】
さらに、すべては図示されていないが、８個の駆動エリアＤＡは演算グループＡ（ＣＧＡ）に属し、８個の駆動エリアＤＡは演算グループＢ（ＣＧＢ）に属し、８個の駆動エリアＤＡは演算グループＣ（ＣＧＣ）に属し、８個の駆動エリアＤＡは演算グループＤ（ＣＧＤ）に属し、８個の駆動エリアＤＡは演算グループＥ（ＣＧＥ）に属し、８個の駆動エリアＤＡは演算グループＦ（ＣＧＦ）に属し、８個の駆動エリアＤＡは演算グループＧ（ＣＧＧ）に属し、８個の駆動エリアＤＡは演算グループＨ（ＣＧＨ）に属し、８個の駆動エリアＤＡは演算グループＩ（ＣＧＩ）に属する。すなわち、バックライト２５に関しては、９個の演算グループがある。また、各演算グループに属する駆動エリアＤＡは分散した位置にある。これを示すため、図９においては、駆動エリアＤＡごとに当該駆動エリアＤＡが属する演算グループ名を記載している。なお、演算グループＡ（ＣＧＡ）〜演算グループＩ（ＣＧＩ）のそれぞれは、１フレーム期間に同時に発光強度が算出される駆動エリアＤＡが属するグループである。
【００７９】
そして、バックライト２５は、８個のローテーションエリアＲＯＡ１〜ＲＯＡ８に分割されている。各ローテーションエリアには、演算グループＡ（ＣＧＡ）に属する１個の駆動エリアＤＡと、演算グループＢ（ＣＧＢ）に属する１個の駆動エリアＤＡと、演算グループＣ（ＣＧＣ）に属する１個の駆動エリアＤＡと、演算グループＤ（ＣＧＤ）に属する１個の駆動エリアＤＡと、演算グループＥ（ＣＧＥ）に属する１個の駆動エリアＤＡと、演算グループＦ（ＣＧＦ）に属する１個の駆動エリアＤＡと、演算グループＧ（ＣＧＧ）に属する１個の駆動エリアＤＡと、演算グループＨ（ＣＧＨ）に属する１個の駆動エリアＤＡと、演算グループＩ（ＣＧＩ）に属する１個の駆動エリアＤＡとを含む。すなわち、各ローテーションエリアには、各演算グループから同じ個数（この場合は１個）ずつの駆動エリアＤＡが含まれる。なお、図９ではＲＯＡ１〜ＲＯＡ４についてのみ、当該ローテーションエリアに含まれる駆動エリアＤＡの詳細を図示している。詳細を図示していないＲＯＡ５〜ＲＯＡ８についても同様である。
【００８０】
このように、バックライト２５においては、ある駆動エリアＤＡは、いずれかの演算グループに属するとともに、いずれかのローテーションエリアにも含まれる。
【００８１】
複数のローテーションエリアのうちの少なくとも一つは、２個以上の駆動エリアＤＡを含めば良い。またこの２個以上の駆動エリアＤＡは、２以上の異なる上記演算グループに属すればよい。バックライト２５においては、全てのローテーションエリアが９個の駆動エリアＤＡを含む。またこの９個の駆動エリアＤＡは、ＣＧＡ〜ＣＧＩの９つの異なる演算グループに属する。このような構成により、バックライト２５においては、ある演算グループに属する駆動エリアＤＡは、分散して配置されている。さらに、バックライト２５においては、ある演算グループに属する駆動エリアＤＡは、互いに隣接しない。
【００８２】
一方、あるローテーションエリアに含まれる駆動エリアＤＡは、互いに隣接している。すなわち、各ローテーションエリアは連続した一つの領域である。
【００８３】
各ローテーションエリアにおいては、演算グループＡ（ＣＧＡ）に属する駆動エリアＤＡ、演算グループＢ（ＣＧＢ）に属する駆動エリアＤＡ、・・・、演算グループＩ（ＣＧＩ）に属する駆動エリアＤＡの順に発光強度が算出される。すなわち、発光強度算出部は、１フレーム期間毎に、異なる１つの演算グループに属する駆動エリアＤＡの発光強度を算出する。また、図示しているように、ローテーションエリアＲＯＡ１においては、各演算グループに属する駆動エリアＤＡの発光強度を、先ず、図９中の一番上の行の左側から右側へ算出し、次に図９中の真ん中の行の左側から右側へ算出し、最後に、図９中の一番下の行の左側から右側へ算出しているが、ローテーションエリアＲＯＡ２、ローテーションエリアＲＯＡ３及びローテーションエリアＲＯＡ４においては、各演算グループに属する駆動エリアＤＡの発光強度を、ローテーションエリアＲＯＡ１の場合とは異なる順序で算出している。なお、図示していないローテーションエリアＲＯＡ５〜８についても、他のローテーションエリアと互いに異なる順序で駆動エリアＤＡの発光強度を算出するものとする。ただし、全てのローテーションエリアが、他のローテーションエリアと互いに異なる順序で駆動エリアＤＡの発光強度を算出しなくても良い。少なくとも一つのローテーションエリアが他のローテーションエリアと互いに異なる順序で駆動エリアＤＡの発光強度を算出していれば良い。
【００８４】
以上のように、バックライト２５においては、同一の演算グループに含まれる駆動エリアＤＡが分散して配置されている。また、バックライト２５のように、ローテーションエリア毎に、同一の演算グループに含まれる駆動エリアＤＡの位置が異なり、ローテーションエリア内の駆動エリアＤＡの発光強度を算出する順序が異なる場合がある。これにより、前記のようなアーティファクトが発生したとしても、分散して、かつローテーションエリアごとにランダムに発生するため、アーティファクトを目立たなくすることができる。少なくとも一つのローテーションエリアにおいて各演算グループに属する駆動エリアの発光強度を算出する順序が異なっていれば、アーティファクトの発生はランダムになる。より多くのローテーションエリアにおいて各演算グループに属する駆動エリアの発光強度を算出する順序が異なっていれば、それだけランダムさも増す。また、この場合においては、エリアアクティブ駆動処理部は、各駆動エリアＤＡの発光強度の算出を９時分割で行うため、１フレーム期間毎の駆動エリアＤＡの発光強度の計算量を、時分割で駆動されない場合と比較し、１／９に削減できる。
【００８５】
〔実施形態４〕
次に、図１０及び図１１に基づいて、本開示の実施形態４について説明する。本実施の形態の表示装置に備えられたバックライト２６・２７においては、複数のローテーションエリア中には、形状が異なるローテーションエリアが含まれている点において、実施形態２及び実施形態３とは異なる。その他の構成については実施形態２及び実施形態３において説明したとおりである。説明の便宜上、上記の実施形態２及び実施形態３の図面に示した部材と同じ機能を有する部材については、同じ符号を付し、その説明を省略する。
【００８６】
図１０は、実施の形態４の表示装置に備えられたバックライト２６の概略構成を示す図である。なお、実施の形態４の表示装置の構成は、バックライト２６を備えている点と、エリアアクティブ駆動処理部１がバックライト２６に合わせて駆動される点以外は、図３に図示した実施の形態１の表示装置の構成と同様であるので図示を省略する。
【００８７】
図１０に図示するように、バックライト２６は、２２×１２個の発光素子２１を備えている。バックライト２６は、複数の駆動エリアＤＡ（本実施形態においては、６６個の駆動エリアＤＡ）に分割されており、この駆動エリアＤＡ毎にエリアアクティブ駆動される。
【００８８】
さらに、１６個の駆動エリアＤＡは演算グループＡ（ＣＧＡ）に属し、１６個の駆動エリアＤＡは演算グループＢ（ＣＧＢ）に属し、１５個の駆動エリアＤＡは演算グループＣ（ＣＧＣ）に属し、１５個の駆動エリアＤＡは演算グループＤ（ＣＧＤ）に属する。すなわち、バックライト２６に関しては、４個の演算グループがある。また、各演算グループに属する駆動エリアＤＡは分散した位置にある。これを示すため、図１０においては、駆動エリアＤＡごとに当該駆動エリアＤＡが属する演算グループ名を記載している。なお、演算グループＡ（ＣＧＡ）〜演算グループＤ（ＣＧＤ）のそれぞれは、１フレーム期間に同時に発光強度が算出される駆動エリアＤＡが属するグループである。
【００８９】
バックライト２６は、１７個のローテーションエリアＲＯＡ１〜ＲＯＡ１７に分割されている。そして、複数のローテーションエリアＲＯＡ１〜ＲＯＡ１７中には、形状や含まれる駆動エリアＤＡの数が異なるローテーションエリアＲＯＡ１６・ＲＯＡ１７が含まれている。
【００９０】
ローテーションエリアＲＯＡ１〜ＲＯＡ１５の各々は、演算グループＡ（ＣＧＡ）に属する１個の駆動エリアＤＡと、演算グループＢ（ＣＧＢ）に属する１個の駆動エリアＤＡと、演算グループＣ（ＣＧＣ）に属する１個の駆動エリアＤＡと、演算グループＤ（ＣＧＤ）に属する１個の駆動エリアＤＡとを含む。すなわち、各ローテーションエリアには、各演算グループから同じ個数（この場合は１個）ずつの駆動エリアＤＡが含まれる。また、ローテーションエリアＲＯＡ１〜ＲＯＡ１５の各々の形状は、正方形である。
【００９１】
一方、ローテーションエリアＲＯＡ１６は、ローテーションエリアＲＯＡ１〜ＲＯＡ１５と同様に、演算グループＡ（ＣＧＡ）に属する１個の駆動エリアＤＡと、演算グループＢ（ＣＧＢ）に属する１個の駆動エリアＤＡと、演算グループＣ（ＣＧＣ）に属する１個の駆動エリアＤＡと、演算グループＤ（ＣＧＤ）に属する１個の駆動エリアＤＡとを含む。ただ、ローテーションエリアＲＯＡ１６の形状は、図中上下方向に長く形成されている。
【００９２】
また、ローテーションエリアＲＯＡ１７は、演算グループＡ（ＣＧＡ）に属する１個の駆動エリアＤＡと、演算グループＢ（ＣＧＢ）に属する１個の駆動エリアＤＡの、２つの駆動エリアＤＡのみを含む。このため、ローテーションエリアＲＯＡ１７の形状は、ローテーションエリアＲＯＡ１〜ＲＯＡ１６の各々の形状とは異なる。
【００９３】
このように、バックライト２６においては、ある駆動エリアＤＡは、いずれかの演算グループに属するとともに、いずれかのローテーションエリアにも含まれる。
【００９４】
複数のローテーションエリアのうちの少なくとも一つは、２個以上の駆動エリアＤＡを含めば良い。またこの２個以上の駆動エリアＤＡは、２以上の異なる上記演算グループに属すればよい。バックライト２６においては、ローテーションエリアＲＯＡ１〜ＲＯＡ１６は４個の駆動エリアＤＡを含む。またこの４個の駆動エリアＤＡは、ＣＧＡ〜ＣＧＤの４つの異なる演算グループに属する。また、ローテーションエリアＲＯＡ１７は２個の駆動エリアＤＡを含む。またこの２個の駆動エリアＤＡは、ＣＧＡおよびＣＧＢの２つの異なる演算グループに属する。このような構成により、バックライト２６においては、ある演算グループに属する駆動エリアＤＡは、分散して配置されている。さらに、バックライト２６においては、ある演算グループに属する駆動エリアＤＡは、互いに隣接しない。
【００９５】
一方、あるローテーションエリアに含まれる駆動エリアＤＡは、互いに隣接している。すなわち、各ローテーションエリアは連続した一つの領域である。
【００９６】
各ローテーションエリアにおいては、演算グループＡ（ＣＧＡ）に属する駆動エリアＤＡ、演算グループＢ（ＣＧＢ）に属する駆動エリアＤＡ、・・・、演算グループＤ（ＣＧＤ）に属する駆動エリアＤＡの順に発光強度が算出される。すなわち、発光強度算出部は、１フレーム期間毎に、異なる１つの演算グループに属する駆動エリアＤＡの発光強度を算出する。
【００９７】
なお、ローテーションエリアＲＯＡ１７には、演算グループＣ（ＣＧＣ）に属する駆動エリアＤＡと、演算グループＤ（ＣＧＤ）に属する駆動エリアＤＡとが含まれない。従って、ローテーションエリアＲＯＡ１７においては、発光強度算出部は、演算グループＣ（ＣＧＣ）に属する駆動エリアＤＡの発光強度を算出するフレーム期間と、演算グループＤ（ＣＧＤ）に属する駆動エリアＤＡの発光強度を算出するフレーム期間とには、駆動エリアＤＡの発光強度の算出を行わない。
【００９８】
以上のように、バックライトの複数のローテーションエリアには、形状が異なるローテーションエリアが含まれても良い。例えば、縦２個×横２個の駆動エリアＤＡを含むローテーションエリアでバックライトを分割しようとした時、駆動エリアＤＡの数によっては、割り切れない場合がある。例えばバックライト２６の場合は、画面の縦方向には割り切れるが、画面の横方向には割り切れない。このため、画面の右端に割り切れない駆動エリアＤＡがある。このようなバックライトであっても、割り切れない部分に形状が異なるローテーションエリアを設けることで、本開示の技術を適用できる。また、例えば画面の一部に欠けがあるような、方形以外のディスプレイ用のバックライトに対し、その欠けた部分のバックライトのローテーションエリアの形状を変えることで対応できる。
【００９９】
また、バックライト２６においては、同一の演算グループに含まれる駆動エリアＤＡが分散して配置されている。これにより、前記のようなアーティファクトが発生したとしても分散して発生するため、アーティファクトを目立たなくすることができる。また、この場合においては、エリアアクティブ駆動処理部は、各駆動エリアＤＡの発光強度の算出を４時分割で行うため、１フレーム期間毎の駆動エリアＤＡの発光強度の計算量を、時分割で駆動されない場合と比較し、１／４に削減できる。
【０１００】
〔実施形態４の変形例〕
図１１は、実施の形態４の表示装置に備えられた他のバックライト２７の概略構成を示す図である。
【０１０１】
図１１に図示するように、バックライト２７は、２４×１２個の発光素子２１を備えている。バックライト２７は、複数の駆動エリアＤＡ（本変形例においては、７２個の駆動エリアＤＡ）に分割されており、この駆動エリアＤＡ毎にエリアアクティブ駆動される。
【０１０２】
また、バックライト２７には、演算グループＡ（ＣＧＡ）〜演算グループＬ（ＣＧＬ）の、１２個の演算グループがある。各演算グループに属する駆動エリアＤＡの数は、同一ではない。また、各演算グループに属する駆動エリアＤＡは分散した位置にある。これを示すため、図１１においては、駆動エリアＤＡごとに当該駆動エリアＤＡが属する演算グループ名を記載している。なお、演算グループＡ（ＣＧＡ）〜演算グループＬ（ＣＧＬ）のそれぞれは、１フレーム期間に同時に発光強度が算出される駆動エリアＤＡが属するグループである。
【０１０３】
バックライト２７は、１４個のローテーションエリアＲＯＡ１〜ＲＯＡ１４に分割されている。そして、複数のローテーションエリアＲＯＡ１〜ＲＯＡ１４中には、形状や含まれる駆動エリアＤＡの数が異なるローテーションエリアが含まれている。
【０１０４】
例えば、ローテーションエリアＲＯＡ１２は、１２個の演算グループＡ（ＣＧＡ）〜演算グループＬ（ＣＧＬ）にそれぞれ属する駆動エリアＤＡを１個ずつ含む。一方、ローテーションエリアＲＯＡ４及びローテーションエリアＲＯＡ１０の各々は、演算グループＡ（ＣＧＡ）に属する１個の駆動エリアＤＡのみを含む。
【０１０５】
また例えば、ローテーションエリアＲＯＡ２、ローテーションエリアＲＯＡ５、ローテーションエリアＲＯＡ９およびローテーションエリアＲＯＡ１３は、いずれも６個の駆動エリアＤＡを含む。ただし、ローテーションエリアＲＯＡ２は駆動エリアＤＡが縦３個×横２個の形状である。ローテーションエリアＲＯＡ５は駆動エリアＤＡが縦６個×横１個の形状である、ローテーションエリアＲＯＡ９およびローテーションエリアＲＯＡ１３は駆動エリアＤＡが縦２個×横３個の形状である。これらのローテーションエリアは、演算グループＡ（ＣＧＡ）〜演算グループＦ（ＣＧＦ）にそれぞれ属する駆動エリアＤＡを１個ずつ含む。その他のローテーションエリアも、それぞれ数個の駆動エリアＤＡを含み、それらの駆動エリアＤＡはいずれかの演算グループに属する。
【０１０６】
このように、バックライト２７においては、ある駆動エリアＤＡは、いずれかの演算グループに属するとともに、いずれかのローテーションエリアにも含まれる。
【０１０７】
複数のローテーションエリアのうちの少なくとも一つは、２個以上の駆動エリアＤＡを含めば良い。またこの２個以上の駆動エリアＤＡは、２以上の異なる上記演算グループに属すればよい。バックライト２７においては、ローテーションエリアＲＯＡ４およびローテーションエリアＲＯＡ１０は、１個の駆動エリアＤＡしか含まない。しかしその他のローテーションエリアは２個以上の駆動エリアＤＡを含み、この２個以上の駆動エリアＤＡは、２以上の異なる上記演算グループに属する。言い換えれば、複数のローテーションエリアのうちに、１個の駆動エリアＤＡを含むローテーションエリアがあっても良い。このような構成により、バックライト２７においては、ある演算グループに属する駆動エリアＤＡは、分散して配置されている。
【０１０８】
一方、あるローテーションエリアに含まれる駆動エリアＤＡは、互いに隣接している。すなわち、各ローテーションエリアは連続した一つの領域である。なお、ローテーションエリアＲＯＡ４およびローテーションエリアＲＯＡ１０は、駆動エリアＤＡを１個しか含まないが、一つの領域である点は他のローテーションエリアと同様である。
【０１０９】
各ローテーションエリアにおいては、演算グループＡ（ＣＧＡ）に属する駆動エリアＤＡ、演算グループＢ（ＣＧＢ）に属する駆動エリアＤＡ、・・・、演算グループＬ（ＣＧＬ）に属する駆動エリアＤＡの順に発光強度が算出される。すなわち、発光強度算出部は、１フレーム期間毎に、異なる１つの演算グループに属する駆動エリアＤＡの発光強度を算出する。
【０１１０】
なお、例えばローテーションエリアＲＯＡ４及びローテーションエリアＲＯＡ１０の各々においては、演算グループＢ（ＣＧＢ）〜演算グループＬ（ＣＧＬ）に属する駆動エリアＤＡが含まれない。従って、ローテーションエリアＲＯＡ４及びローテーションエリアＲＯＡ１０においては、発光強度算出部は、演算グループＢ（ＣＧＢ）〜演算グループＬ（ＣＧＬ）の各々に属する駆動エリアＤＡの発光強度を算出するフレーム期間には、発光強度の算出を行わない。その他のローテーションエリアにおいても、当該ローテーションエリアに、ある演算グループに属する駆動エリアＤＡが含まれない場合は、発光強度算出部は、当該演算グループに属する駆動エリアＤＡの発光強度を算出するフレーム期間には、発光強度の算出を行わない。
【０１１１】
以上のように、バックライトの複数のローテーションエリアには、形状が異なるローテーションエリアが含まれても良い。これにより、上記のバックライト２６と同様に、１種類の形状のローテーションエリアでバックライトを分割しようとしてもできない場合にも、本開示の技術を適用できる。さらに、バックライトを複数のローテーションエリアに分割する際の自由度が高くなる。
【０１１２】
また、バックライト２７においては、同一の演算グループに含まれる駆動エリアＤＡが分散して配置されている。これにより、前記のようなアーティファクトが発生したとしても分散して発生するため、アーティファクトを目立たなくすることができる。また、この場合においては、エリアアクティブ駆動処理部は、各駆動エリアＤＡの発光強度の算出を１２時分割で行うため、１フレーム期間毎の駆動エリアＤＡの発光強度の計算量を、時分割で駆動されない場合と比較し、１／１２に削減できる。
【０１１３】
〔実施形態５〕
次に、図１２及び図１３に基づいて、本開示の実施形態５について説明する。本実施の形態の表示装置３０に備えられたバックライト２８は、複数の演算単位ＣＵ１〜ＣＵ４に分割されており、各演算単位ＣＵ１〜ＣＵ４は演算グループを２以上含み、エリアアクティブ駆動処理部１ａは、演算単位ＣＵ１〜ＣＵ４ごとに発光強度算出部２ａ〜２ｄを備えている点において、実施形態２〜４とは異なる。その他の構成については実施形態２〜４において説明したとおりである。説明の便宜上、上記の実施形態２〜４の図面に示した部材と同じ機能を有する部材については、同じ符号を付し、その説明を省略する。
【０１１４】
図１２は、実施の形態５の表示装置３０に備えられたバックライト２８の概略構成を示す図である。
【０１１５】
図示しているように、バックライト２８は、複数の演算単位（本実施形態においては、４つの演算単位ＣＵ１〜ＣＵ４）に分割されている。各演算単位ＣＵ１〜ＣＵ４は、それぞれ７２個の駆動エリアＤＡに分割されており、この駆動エリアＤＡ毎にエリアアクティブ駆動される。また、図示していないが、各駆動エリアＤＡは、互いに隣接する２×２個の発光素子２１を備えているものとする。
【０１１６】
そして、バックライト２８の各演算単位ＣＵ１〜ＣＵ４は、複数のローテーションエリア（本実施形態においては、１８個のローテーションエリアＲＯＡ１〜ＲＯＡ１８）に分割されている。
【０１１７】
本実施形態においては、演算単位ＣＵ１に含まれる各ローテーションエリアＲＯＡ１〜ＲＯＡ１８は、演算グループＡ（ＣＧＡ）に属する１個の駆動エリアＤＡと、演算グループＢ（ＣＧＢ）に属する１個の駆動エリアＤＡと、演算グループＣ（ＣＧＣ）に属する１個の駆動エリアＤＡ及び演算グループＤ（ＣＧＤ）に属する１個の駆動エリアＤＡを含む。図１２においては、演算単位ＣＵ１に含まれるローテーションエリアＲＯＡ１における４つの演算グループのみを図示しているが、演算単位ＣＵ１に含まれるローテーションエリアＲＯＡ２〜ＲＯＡ１８の各々も同様に演算グループＡ（ＣＧＡ）に属する１個の駆動エリアＤＡ、演算グループＢ（ＣＧＢ）に属する１個の駆動エリアＤＡ、演算グループＣ（ＣＧＣ）に属する１個の駆動エリアＤＡ及び演算グループＤ（ＣＧＤ）に属する１個の駆動エリアＤＡを含む。また、演算単位ＣＵ２〜ＣＵ４についても同様である。このように、バックライト２８に関しては、４個の演算グループがある。また、各演算グループに属する駆動エリアＤＡは各演算単位ＣＵ１〜ＣＵ４内で分散した位置にある。なお、演算グループＡ（ＣＧＡ）〜演算グループＤ（ＣＧＤ）のそれぞれは、１フレーム期間に同時に発光強度が算出される駆動エリアＤＡが属するグループである。
【０１１８】
また、このように、バックライト２８においては、ある駆動エリアＤＡは、いずれかの演算グループに属するとともに、いずれかのローテーションエリアにも含まれる。
【０１１９】
複数のローテーションエリアのうちの少なくとも一つは、２個以上の駆動エリアＤＡを含めば良い。またこの２個以上の駆動エリアＤＡは、２以上の異なる上記演算グループに属すればよい。バックライト２８においては、全てのローテーションエリアが４個の駆動エリアＤＡを含む。またこの４個の駆動エリアＤＡは、ＣＧＡ〜ＣＧＤの４つの異なる演算グループに属する。このような構成により、バックライト２８においては、ある演算グループに属する駆動エリアＤＡは、分散して配置される。さらに、バックライト２８においては、ある演算グループに属する駆動エリアＤＡは互いに隣接しない。
【０１２０】
一方、あるローテーションエリアに含まれる駆動エリアＤＡは、互いに隣接している。すなわち、各ローテーションエリアは連続した一つの領域である。
【０１２１】
図１３は、表示装置３０の概略構成を示す図である。図示しているように、表示装置３０が備えているエリアアクティブ駆動処理部（エリアアクティブ駆動回路）１ａは、演算単位ＣＵ１〜ＣＵ４ごとに発光強度算出部（発光強度算出回路）２ａ〜２ｄを備えている。例えば、発光強度算出部２ａは、演算単位ＣＵ１の各演算グループの各々に属する駆動エリアの発光強度を算出し、発光強度算出部２ｂは、演算単位ＣＵ２の各演算グループの各々に属する駆動エリアの発光強度を算出し、発光強度算出部２ｃは、演算単位ＣＵ３の各演算グループの各々に属する駆動エリアの発光強度を算出し、発光強度算出部２ｄは、演算単位ＣＵ４の各演算グループの各々に属する駆動エリアの発光強度を算出する。このとき、発光強度算出部２ａ〜２ｄの各々は、演算単位ＣＵ１〜ＣＵ４ごとに、各駆動エリアＤＡの発光強度を、入力される画像データに基づいて、表示パネル１４ａにおける画像を更新する周期である１フレーム期間毎に、異なる一つの演算グループＡ（ＣＧＡ）〜演算グループＤ（ＣＧＤ）について算出する。すなわち、発光強度算出部２ａ〜２ｄの各々は、演算単位ＣＵ１〜ＣＵ４ごとに、すなわち並列で（本実施形態においては４並列）、複数の駆動エリアＤＡ全ての発光強度の算出を行う。また、発光強度算出部２ａ〜２ｄの各々は、表示パネル１４ａにおける画像を更新する周期を１フレーム期間として、複数のフレーム期間に分割して（本実施形態においては４時分割）、複数の駆動エリアＤＡ全ての発光強度の算出を行う。
【０１２２】
なお、バックライト駆動回路１１ａは、駆動エリアの発光強度のデータに基づいて、駆動エリア毎にバックライト２８を駆動し、パネル駆動回路１３ａは表示パネル１４ａを駆動する。
【０１２３】
近年、表示装置の解像度が増大している。例えば従来Ｆｕｌｌ−ＨＤ解像度（１９２０×１０８０ピクセル）の表示装置が主流であったところ、４Ｋ解像度（３９４０×２１６０ピクセルなど）や８Ｋ解像度（７８６０×４３２０ピクセル）の表示装置が登場している。表示装置は今後もさらに高解像度化が進むものと思われる。表示パネル１４ａは、例えばこのような高解像度表示パネルである。そして、このような高解像度の表示装置においては、バックライトのエリアアクティブ駆動の駆動エリア数も増やす必要がある。バックライト２８は、例えばこのように駆動エリア数が増加したバックライトである。高解像度の表示パネル１４ａおよび駆動エリア数の多いバックライト２８を備えた表示装置においては、エリアアクティブ駆動処理部１ａにおける各駆動エリアの発光強度の算出の計算量は大幅に増加する。このような場合であっても、上記のような並列処理及び時分割処理により、各駆動エリアの発光強度の算出を行うことができる。
【０１２４】
以上のように、バックライト２８においては、同一の演算グループに含まれる駆動エリアＤＡが分散して配置されている。さらには、バックライト２８においては同一の演算グループに含まれる駆動エリアＤＡが互いに隣接しない。これにより、前記のようなアーティファクトが発生したとしても分散して発生するため、アーティファクトを目立たなくすることができる。さらに、バックライト２８と表示パネル１４ａとを備えている表示装置３０のエリアアクティブ駆動処理部１ａは、各駆動エリアＤＡの発光強度の算出を４並列かつ４時分割で行うため、１フレーム期間毎の駆動エリアの発光強度の計算量を、並列および時分割で駆動されない場合と比較し、１／１６に削減できる。
【０１２５】
なお、表示装置３０においては、発光強度算出部のみ複数個を備えていた。しかし、発光強度保持部７、輝度分布算出部３、画像データ補正部９、バックライト駆動回路１１ａおよびパネル駆動回路１３ａの一部または全部についても、複数個備えても良い。
【０１２６】
〔ソフトウェアによる実現例〕
表示装置１０・３０のエリアアクティブ駆動処理部１・１ａに含まれる各部は、集積回路（ＩＣチップ）等に形成された論理回路（ハードウェア）によって実現してもよいし、ソフトウェアによって実現してもよい。
【０１２７】
後者の場合、表示装置１０・３０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本開示の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本開示の一態様は、上記プログラムが電子的な伝送によって具現化された、搬送波に埋め込まれたデータ信号の形態でも実現され得る。
【０１２８】
〔付記事項〕
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【０１２９】
上記で図５〜図８を用いて説明したように、複数のローテーションエリアにおいて、同じ順序で駆動エリアＤＡの発光強度を算出しても良い。また、上記で図１０に基づき説明したように、複数のローテーションエリアのうち形状が同一なローテーションエリアにおいて、同じ順序で駆動エリアＤＡの発光強度を算出しても良い。
【０１３０】
一方、上記で図９に基づき説明したように、複数のローテーションエリアのうち、少なくとも一つのローテーションエリアが他のローテーションエリアと互いに異なる順序で駆動エリアＤＡの発光強度を算出しても良い。これを他の実施形態に適用することも可能である。ここで、上記で図１０および図１１に基づき説明したように、複数のローテーションエリアのうち他とは形状が異なるローテーションエリアが含まれる場合、形状が異なるローテーションエリア同士では、必然的に各演算グループに属する駆動エリアの発光強度を算出する順序が異なる。そのような場合は同じ順序で計算することはできないためである。従って、より一般的には、複数のローテーションエリアのうち形状が同一なローテーションエリアにおいて、各演算グループに属する駆動エリアの発光強度を算出する順序が、少なくとも一つのローテーションエリアにおいて異なれば良い。
【０１３１】
上記で図５、図７、図９および図１０を用いて説明した例では、バックライトにおいてある演算グループに属する駆動エリアＤＡは互いに隣接していない。しかし、ある演算グループに属する駆動エリアＤＡが全て互いに隣接しない状態でなければならないわけではない。例えばある演算グループに属する駆動エリアＤＡのうち１個でも他とは隣接しない位置にあれば、その分上記のアーティファクトの発生も分散される効果が得られる。
【０１３２】
上記で図６を用いて説明した例においては、各ローテーションエリアには、各演算グループから同じ個数（この場合は２個）ずつの駆動エリアＤＡが含まれる。また、各ローテーションエリア内で、各演算グループに属する２個の駆動エリアＤＡは、互いに隣接している。しかし、各ローテーションエリアに各演算グループに属する複数の駆動エリアＤＡが含まれる場合に、それら複数の駆動エリアが互いに隣接していなくてもかまわない。
【０１３３】
上記の各実施形態およびその変形例においては、発光素子２１は、白色を発光する発光素子であった。そしてエリアアクティブ駆動はバックライトの各駆動エリアＤＡに含まれる発光素子が発する白色光の発光強度を制御するものであった。しかし本開示はこのような構成に限定されない。例えば、発光素子２１として、赤色を発光する発光素子、緑色を発光する発光素子および青色を発光する発光素子を用い、それらを独立して制御するようにしても良い。より詳細には、入力画像の中の赤成分を用いて赤色発光素子をエリアアクティブ駆動し、入力画像の中の緑成分を用いて緑色発光素子をエリアアクティブ駆動し、入力画像の中の青成分を用いて青色発光素子をエリアアクティブ駆動してもよい。
【０１３４】
上記の各実施形態およびその変形例においては、表示パネル１４として液晶パネルを例に挙げて説明したが、本開示はこれに限定されない。エリアアクティブ駆動可能なバックライトを用いた構成の表示装置であれば、液晶パネル以外を用いた表示装置においても本開示の技術を適用することができる。例えば、ＭＥＭＳ（Ｍｉｃｒｏ  Ｅｌｅｃｔｒｏ  Ｍｅｃｈａｎｉｃａｌ  Ｓｙｓｔｅｍｓ）により形成された画素を備える表示パネルを使用することもできる。ＭＥＭＳとは、機械要素部品、アクチュエータ、電子回路を一つのシリコン基板やガラス基板上等に集積化したデバイスである。ＭＥＭＳによって形成された画素を備えるパネルは、パネル上に画素として機能するメカニカルシャッタが設けられ、当該メカニカルシャッタが画像信号に応じて高速で開閉される。これにより、ＭＥＭＳは、液晶パネルと同様にバックライト光の透過率を調整して画像を表示することができる。あるいは、エレクトロウェッティング（Ｅｌｅｃｔｒｏ  ｗｅｔｔｉｎｇ）現象を利用して形成された画素を備える表示パネルを使用してもよい。エレクトロウェッティング現象は、細管の内面側に設けられる電極と外部電極との間のスイッチをオンすれば、液体の細管内面に対する濡れ性が変化し、液体の細管内面に対する接触角が減少して広がった状態になり、スイッチをオフすれば、細管内面に対する液体の濡れ性が変化して接触角度が急激に増大し、液体が細管から流出する現象である。この現象を利用して形成した画素も、スイッチをオン／オフさせることにより、液晶パネルの画素と同様に開閉が可能になるので、バックライト光の透過率を調整して画像を表示することができる。
【産業上の利用可能性】
【０１３５】
本開示の一態様は、表示装置に適用することができる。
【図１】
2020049949.tif 000003
【図２】
2020049949.tif 000004
【図３】
2020049949.tif 000005
【図４】
2020049949.tif 000006
【図５】
2020049949.tif 000007
【図６】
2020049949.tif 000008
【図７】
2020049949.tif 000009
【図８】
2020049949.tif 000010
【図９】
2020049949.tif 000011
【図１０】
2020049949.tif 000012
【図１１】
2020049949.tif 000013
【図１２】
2020049949.tif 000014
【図１３】
2020049949.tif 000015
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
エリアアクティブ駆動回路と、
複数の駆動エリアに分割され、上記エリアアクティブ駆動回路によって、該複数の駆動エリアがエリアアクティブ駆動されるバックライトと、
表示パネルと、を備えた表示装置であって、
上記複数の駆動エリアは、ｍ個（ｍは２以上の自然数）の演算グループのいずれかに属し、
上記エリアアクティブ駆動回路は、上記各駆動エリアの発光強度を、入力される画像データに基づいて、上記表示パネルにおける画像を更新する周期である１フレーム期間毎に、異なる一つの上記演算グループに属する上記駆動エリアについて算出する発光強度算出回路を備え、
ｍフレーム期間を１シーケンスとし、
上記発光強度算出回路が、あるシーケンスと別のシーケンスとで、上記各演算グループに属する駆動エリアの発光強度を算出する順序が異なることを特徴とする表示装置。
【請求項２】
上記バックライトは、複数のローテーションエリアに分割されており、
上記複数のローテーションエリアのうちの少なくとも一つは、２以上の上記駆動エリアを含み、該２以上の上記駆動エリアは２以上の異なる上記演算グループに属することを特徴とする請求項１に記載の表示装置。
【請求項３】
上記複数のローテーションエリアのうち、形状が同一な該ローテーションエリアのそれぞれは、上記複数の演算グループのそれぞれに属する上記駆動エリアを同じ個数ずつ含むことを特徴とする請求項２に記載の表示装置。
【請求項４】
上記複数のローテーションエリアのうち、形状が同一な該ローテーションエリアのそれぞれは、上記複数の演算グループのそれぞれに属する上記駆動エリアを１個ずつ含むことを特徴とする請求項２または請求項３に記載の表示装置。
【請求項５】
上記発光強度算出回路が、上記複数のローテーションエリアのうち、形状が同一な該ローテーションエリアにおいて、上記各演算グループに属する駆動エリアの発光強度を算出する順序が同じであることを特徴とする請求項２から４の何れか１項に記載の表示装置。
【請求項６】
上記発光強度算出回路が、上記複数のローテーションエリアのうち、形状が同一な該ローテーションエリアにおいて、上記各演算グループに属する駆動エリアの発光強度を算出する順序が、少なくとも一つの該ローテーションエリアについて異なることを特徴とする請求項２から５の何れか１項に記載の表示装置。
【請求項７】
上記複数のローテーションエリアの形状は同一であることを特徴とする請求項２から６の何れか１項に記載の表示装置。
【請求項８】
上記複数のローテーションエリア中には、形状が異なるローテーションエリアが含まれることを特徴とする請求項２から６の何れか１項に記載の表示装置。
【請求項９】
上記バックライトは、複数の演算単位に分割されており、
上記各演算単位は上記演算グループを２以上含み、
上記エリアアクティブ駆動回路は、上記演算単位ごとに上記発光強度算出回路を備えていることを特徴とする請求項１から８の何れか１項に記載の表示装置。
【請求項１０】
エリアアクティブ駆動回路と、
複数の駆動エリアに分割され、上記エリアアクティブ駆動回路によって、該複数の駆動エリアがエリアアクティブ駆動されるバックライトと、
上記各駆動エリアの発光強度を、入力される画像データに基づいて算出する発光強度算出回路と、
表示パネルと、を備えた表示装置であって、
上記発光強度算出回路は、上記表示パネルにおける画像を更新する周期を１フレーム期間として、複数のフレーム期間に分割して上記複数の駆動エリア全ての発光強度の算出を行い、
ｍフレーム期間（ｍは２以上の自然数）を１シーケンスとし、
上記発光強度算出回路が、あるシーケンスと別のシーケンスとで、上記複数の駆動エリアの発光強度を算出する順序が異なることを特徴とする表示装置。
【請求項１１】
上記発光強度算出回路が、上記１フレーム期間に発光強度を算出する複数の上記駆動エリアは、分散して配置されていることを特徴とする請求項１０に記載の表示装置。
【請求項１２】
上記発光強度算出回路が、上記１フレーム期間に発光強度を算出した複数の上記駆動エリアは、互いに隣接しないことを特徴とする請求項１０または請求項１１に記載の表示装置。
【請求項１３】
上記複数の駆動エリアのそれぞれは、１以上の発光素子を含むことを特徴とする請求項１から１２の何れか１項に記載の表示装置。
【国際調査報告】
2020049949.tif 000016
2020049949.tif 000017
2020049949.tif 000018
2020049949.tif 000019